(57)【要約】【課題】従来の手法よりも一層、主観的な光沢感と相関の高い光沢感評価値を求めることを可能にする。【解決手段】変角反射光分布特性測定部２１２が、物体表面の正反射方向および該正反射方向の近傍方向からの反射光に基づいて変角反射光分布特性を取得する。この変角反射光分布特性測定部２１２によって取得された変角反射光分布特性を基にして、評価パラメータ抽出部２１３が評価パラメータを抽出する。この評価パラメータ抽出部２１３によって抽出された評価パラメータに基づき、光沢感評価値演算部２２４が光沢感評価値を算出する。【選択図】図１
2007278949.tif 000002
【特許請求の範囲】
【請求項１】
物体表面からの反射光に基づいて該物体表面の光沢に関する評価値を生成する光沢感評価装置であって、
物体表面の正反射方向および該正反射方向の近傍方向からの反射光に基づいて変角反射光分布特性を取得する変角反射光分布特性取得手段と、
前記変角反射光分布特性取得手段によって取得された変角反射光分布特性から評価パラメータを抽出する評価パラメータ抽出手段と、
前記評価パラメータ抽出手段によって抽出された評価パラメータに基づき光沢感評価値を算出する光沢感評価値算出手段と
を有することを特徴とする光沢感評価装置。
【請求項２】
前記変角反射光分布特性は、前記物体表面の被測定位置からの反射角度の異なる複数の反射光に基づいて生成された、反射角度に対する反射光強度の分布特性であることを特徴とする請求項１記載の光沢感評価装置。
【請求項３】
前記変角反射光分布特性取得手段は、
前記物体表面を照明する照明手段と、
前記照明手段によって照明された物体表面の被測定位置からの反射角度の異なる複数の反射光の強度を、前記被測定位置を中心とする円周上を移動して測定する測定手段と
を含むことを特徴とする請求項１記載の光沢感評価装置。
【請求項４】
前記光沢感評価値算出手段は、前記評価パラメータ抽出手段によって抽出された評価パラメータの線形結合により前記光沢感評価値を算出することを特徴とする請求項１記載の光沢感評価装置。
【請求項５】
前記光沢感評価値算出手段は、
予め決定された重み係数を記憶する重み係数記憶手段と、
前記重み係数記憶手段に記憶された重み係数を読み出して、前記線形結合を行う重み係数参照手段と
を含むことを特徴とする請求項４記載の光沢感評価装置。
【請求項６】
光沢感を含む質感に関する少なくとも１つの評価項目を予め記憶する評価項目記憶手段を更に有し、
前記重み係数参照手段は、前記評価項目記憶手段に記憶されている評価項目の中から１つの評価項目が選択されると、該選択された評価項目に対応する重み係数を前記重み係数記憶手段から読み出して、前記線形結合を行うことを特徴とする請求項５記載の光沢感評価装置。
【請求項７】
前記評価パラメータは、正反射光の強度および正反射近傍の反射光の強度であることを特徴とする請求項１記載の光沢感評価装置。
【請求項８】
前記評価パラメータは、正反射光の強度および正反射近傍の反射光分布の広がり度合であることを特徴とする請求項１記載の光沢感評価装置。
【請求項９】
前記評価パラメータは、鏡面光沢度測定方法に基づき測定された鏡面光沢度の値と、ヘイズ測定方法に基づき測定されたヘイズの値とであることを特徴とする請求項１記載の光沢感評価装置。
【請求項１０】
前記評価パラメータは、鏡面光沢度測定方法に基づき測定された鏡面光沢度の値と、写像性測定方法に基づき測定された像鮮明度の値とであることを特徴とする請求項１記載の光沢感評価装置。
【請求項１１】
前記評価パラメータ抽出手段は、前記変角反射光分布特性取得手段によって取得された変角反射光分布特性における最大値または正反射光強度を抽出することを特徴とする請求項１記載の光沢感評価装置。
【請求項１２】
前記評価パラメータ抽出手段は、前記変角反射光分布特性取得手段によって取得された変角反射光分布特性において、正反射方向から前記物体表面の法線方向側に所定の角度ずれた第１の角度位置における反射光強度、正反射方向から前記法線方向と反対側に所定の角度ずれた第２の角度位置における反射光強度、前記第１の角度位置における反射光強度と前記第２の角度位置における反射光強度との和、前記第１の角度位置における反射光強度と前記第２の角度位置における反射光強度との平均値、および所定の反射光強度における幅指標値のいずれかを抽出することを特徴とする請求項１記載の光沢感評価装置。
【請求項１３】
前記変角反射光分布特性取得手段は、
前記物体表面を照明する照明手段と、
正反射方向に配置され、前記照明手段によって照明された物体表面からの反射光の強度を測定する第１の測定手段と、
正反射方向の近傍方向に配置され、前記照明手段によって照明された物体表面からの反射光の強度を測定する少なくとも１つの第２の測定手段と
を含むことを特徴とする請求項１記載の光沢感評価装置。
【請求項１４】
前記変角反射光分布特性取得手段は、
前記物体表面を照明する照明手段と、
正反射方向に配置され、前記物体表面を撮影して２次元画像を出力する撮像手段と、
前記撮像手段から出力された２次元画像に基づいて、変角反射光分布特性を生成する生成手段と
を含むことを特徴とする請求項１記載の光沢感評価装置。
【請求項１５】
物体表面からの反射光に基づいて該物体表面の光沢に関する評価値を生成する光沢感評価装置に適用される光沢感評価値生成方法であって、
物体表面の正反射方向および該正反射方向の近傍方向からの反射光に基づいて変角反射光分布特性を取得する変角反射光分布特性取得ステップと、
前記変角反射光分布特性取得ステップにおいて取得された変角反射光分布特性から評価パラメータを抽出する評価パラメータ抽出ステップと、
前記評価パラメータ抽出ステップにおいて抽出された評価パラメータに基づき光沢感評価値を算出する光沢感評価値算出ステップと
を有することを特徴とする光沢感評価値生成方法。
【請求項１６】
前記変角反射光分布特性は、前記物体表面の被測定位置からの反射角度の異なる複数の反射光に基づいて生成された、反射角度に対する反射光強度の分布特性であることを特徴とする請求項１５記載の光沢感評価値生成方法。
【請求項１７】
前記光沢感評価値算出ステップでは、前記評価パラメータ抽出ステップにおいて抽出された評価パラメータの線形結合により前記光沢感評価値を算出することを特徴とする請求項１５記載の光沢感評価値生成方法。
【請求項１８】
前記光沢感評価値算出ステップは、
予め決定された重み係数を重み係数記憶手段に格納する第１の格納ステップと、
前記重み係数記憶手段に記憶された重み係数を読み出して、前記線形結合を行う重み係数参照ステップと
を含むことを特徴とする請求項１７記載の光沢感評価値生成方法。
【請求項１９】
光沢感を含む質感に関する少なくとも１つの評価項目を評価項目記憶手段に予め格納する第２の格納ステップを更に有し、
前記重み係数参照ステップでは、前記評価項目記憶手段に記憶されている評価項目の中から１つの評価項目が選択されると、該選択された評価項目に対応する重み係数を前記重み係数記憶手段から読み出して、前記線形結合を行うことを特徴とする請求項１８記載の光沢感評価値生成方法。
【請求項２０】
前記評価パラメータは、正反射光の強度および正反射近傍の反射光の強度であることを特徴とする請求項１５記載の光沢感評価値生成方法。
【請求項２１】
前記評価パラメータは、正反射光の強度および正反射近傍の反射光分布の広がり度合であることを特徴とする請求項１５記載の光沢感評価値生成方法。
【請求項２２】
前記評価パラメータは、鏡面光沢度測定方法に基づき測定された鏡面光沢度の値と、ヘイズ測定方法に基づき測定されたヘイズの値とであることを特徴とする請求項１５記載の光沢感評価値生成方法。
【請求項２３】
前記評価パラメータは、鏡面光沢度測定方法に基づき測定された鏡面光沢度の値と、写像性測定方法に基づき測定された像鮮明度の値とであることを特徴とする請求項１５記載の光沢感評価値生成方法。
【請求項２４】
前記評価パラメータ抽出ステップでは、前記変角反射光分布特性取得ステップで取得された変角反射光分布特性における最大値または正反射光強度を抽出することを特徴とする請求項１５記載の光沢感評価値生成方法。
【請求項２５】
前記評価パラメータ抽出ステップでは、前記変角反射光分布特性取得ステップで取得された変角反射光分布特性において、正反射方向から前記物体表面の法線方向側に所定の角度ずれた第１の角度位置における反射光強度、正反射方向から前記法線方向と反対側に所定の角度ずれた第２の角度位置における反射光強度、前記第１の角度位置における反射光強度と前記第２の角度位置における反射光強度との和、前記第１の角度位置における反射光強度と前記第２の角度位置における反射光強度との平均値、および所定の反射光強度における幅指標値のいずれかを抽出することを特徴とする請求項１５記載の光沢感評価値生成方法。
【請求項２６】
物体表面からの反射光に基づいて該物体表面の光沢に関する評価値を生成する光沢感評価装置に適用される光沢感評価値生成方法を、コンピュータに実行させるためのプログラムであって、
物体表面の正反射方向および該正反射方向の近傍方向からの反射光に基づいて変角反射光分布特性を取得する変角反射光分布特性取得ステップと、
前記変角反射光分布特性取得ステップにおいて取得された変角反射光分布特性から評価パラメータを抽出する評価パラメータ抽出ステップと、
前記評価パラメータ抽出ステップにおいて抽出された評価パラメータに基づき光沢感評価値を算出する光沢感評価値算出ステップと
を有することを特徴とするプログラム。
【発明の詳細な説明】
【技術分野】
【０００１】
本発明は、光沢感評価装置、光沢感評価値生成方法、及びプログラムに関し、特に、物体表面からの反射光に基づいて該物体表面の光沢に関する評価値を生成する光沢感評価装置、該光沢感評価装置に適用される光沢感評価値生成方法、及び該光沢感評価値生成方法をコンピュータに実行させるためのプログラムに関する。
【０００２】
例えば、カラープリンタなどの画像出力装置で印字されたハードコピー等の印刷媒体において、画像観察者の主観的な光沢感と相関の高い評価値を求めるための光沢感評価装置、光沢感評価値生成方法、及びプログラムに関する。
【背景技術】
【０００３】
カラープリンタなどの画像出力装置で印字された印刷媒体の光沢感は、写真印刷やドキュメント印刷において重要な画質因子であり、印刷媒体の品質管理項目の１つとして用いられている。印刷媒体では、印字方式、色材、用紙などの違いにより、印刷媒体表面の光沢感が異なる。
【０００４】
印刷媒体の光沢感の評価では、従来、正反射光の強度を測定する鏡面光沢度測定方法（例えば、非特許文献１参照）に準拠した光沢度計によって得られる測定値が用いられる。また、自動車の外板など高光沢物体の光沢感評価には、試料表面の曇り具合を測定するヘイズ測定方法（例えば、非特許文献２，３参照）や、試料表面に映り込んだ物体の像の鮮明度を測定する写像性測定方法（例えば、非特許文献４，５参照）が用いられる。
【非特許文献１】ＪＩＳ  Ｚ  ８７４１
【非特許文献２】ＩＳＯ  １３８０３
【非特許文献３】ＡＳＴＭ  Ｅ  ４３０
【非特許文献４】ＪＩＳ  Ｋ  ７１０５
【非特許文献５】ＪＩＳ  Ｈ  ８６８６
【発明の開示】
【発明が解決しようとする課題】
【０００５】
しかしながら、上記従来の鏡面光沢度測定方法に基づいた光沢度計や、ヘイズ測定方法に基づいたヘイズメータや、写像性測定方法に基づいた写像性測定器から得られる測定値は、人間の目視評価と対応しない問題がある。
【０００６】
すなわち、鏡面光沢度測定方法は、正反射光の強度のみを測定している。しかし、人間は正反射光の強度のみではなく、正反射近傍の空間的な反射光分布特性を加味して光沢感を評価している。そのため、評価対象とする印刷媒体に、正反射近傍の反射光分布の広がりが広い試料と狭い試料とが含まれると、鏡面光沢度測定方法で求めた客観評価値と、主観評価値との相関が悪くなる。
【０００７】
一方、ヘイズ測定方法や写像性測定方法では、正反射光の強度は測定しておらず、正反射近傍の反射光強度のみや正反射近傍の広がりに相当する成分のみを測定している。そのため、正反射光の強度の違いによる光沢感の差異は検出することができず、ヘイズ測定方法および写像性測定方法で求めた客観評価値と、主観評価値との相関が悪くなる。
【０００８】
つまり、従来一般に使われている測定方法では、光沢感の評価に十分な物理要素の測定が行われていない。
【０００９】
本発明はこのような問題点に鑑みてなされたものであって、従来の手法よりも一層、主観的な光沢感と相関の高い光沢感評価値を求めることができる光沢感評価装置、光沢感評価値生成方法、及びプログラムを提供することを目的とする。
【課題を解決するための手段】
【００１０】
上記目的を達成するために、請求項１記載の発明によれば、物体表面からの反射光に基づいて該物体表面の光沢に関する評価値を生成する光沢感評価装置であって、物体表面の正反射方向および該正反射方向の近傍方向からの反射光に基づいて変角反射光分布特性を取得する変角反射光分布特性取得手段と、前記変角反射光分布特性取得手段によって取得された変角反射光分布特性から評価パラメータを抽出する評価パラメータ抽出手段と、前記評価パラメータ抽出手段によって抽出された評価パラメータに基づき光沢感評価値を算出する光沢感評価値算出手段とを有することを特徴とする光沢感評価装置が提供される。
【００１１】
また、請求項１５記載の発明によれば、物体表面からの反射光に基づいて該物体表面の光沢に関する評価値を生成する光沢感評価装置に適用される光沢感評価値生成方法であって、物体表面の正反射方向および該正反射方向の近傍方向からの反射光に基づいて変角反射光分布特性を取得する変角反射光分布特性取得ステップと、前記変角反射光分布特性取得ステップにおいて取得された変角反射光分布特性から評価パラメータを抽出する評価パラメータ抽出ステップと、前記評価パラメータ抽出ステップにおいて抽出された評価パラメータに基づき光沢感評価値を算出する光沢感評価値算出ステップとを有することを特徴とする光沢感評価値生成方法が提供される。
【００１２】
さらに、上記光沢感評価値生成方法をコンピュータに実行させるためのプログラムが提供される。
【発明の効果】
【００１３】
本発明によれば、反射光の変角分布特性を測定し、反射光の変角分布特性から抽出した正反射光の強度成分と正反射近傍の反射光分布の空間的な広がり成分とを評価値算出のための評価パラメータとして利用する。これにより、従来の手法と比べて、物体表面の光沢感の高低を人間の主観的な光沢感と相関よく定量評価することが可能となる。
【発明を実施するための最良の形態】
【００１４】
以下、本発明を実施するための最良の形態について、図面を参照して説明する。
【００１５】
〔第１の実施の形態〕
図１は、本発明の第１の実施の形態に係る光沢感評価装置の構成を示すブロック図である。なお、この光沢感評価装置は制御装置で構成され、該制御装置は、例えば中央演算装置（ＣＰＵ）、ＣＰＵが実行する制御プログラムを記憶するＲＯＭ（Read Only Memory）、ＣＰＵが演算に使用するＲＡＭ（Random Access Memory）、入出力装置等から構成される。そして、図１に示す各ブロック部は、上記の制御プログラムをＣＰＵが実行することによって実現する各機能に相当する。
【００１６】
光沢感評価装置は、受光信号処理部２１０と評価値算出処理部２２０とからなる。受光信号処理部２１０は、測光部２１１と評価パラメータ抽出部２１３とからなる。測光部２１１には変角反射光分布特性測定部２１２が含まれ、変角反射光分布特性測定部２１２が、被評価印刷媒体表面の変角反射光分布特性を測定する。
【００１７】
評価パラメータ抽出部２１３は、正反射光強度抽出部２１４と正反射近傍光強度抽出部２１５とで構成される。正反射光強度抽出部２１４と正反射近傍光強度抽出部２１５とが、変角反射光分布特性測定部２１２で測定された印刷媒体表面の変角反射光分布特性から正反射光強度と正反射近傍光強度とを抽出する。
【００１８】
評価値算出処理部２２０は、評価パラメータ入力部２２１と、光沢感評価値演算部２２４と、光沢感評価値出力部２２５とからなる。評価パラメータ入力部２２１は、正反射光強度入力部２２２と正反射近傍光強度入力部２２３とからなる。評価パラメータ入力部２２１では、評価パラメータ抽出部２１３で抽出された正反射光強度を正反射光強度入力部２２２で入力し、正反射近傍光強度を正反射近傍光強度入力部２２３で入力する。
【００１９】
光沢感評価値演算部２２４は、評価パラメータ入力部２２１で入力された正反射光強度と正反射近傍光強度とに対して所定の演算処理を施して、被評価印刷媒体の光沢感評価値を算出する。
【００２０】
光沢感評価値出力部２２５は、光沢感評価値演算部２２４で算出された光沢感評価値を所定の形式で出力する。
【００２１】
図２は、図１に示す光沢感評価装置において行なわれる光沢感評価処理の手順を示すフローチャートである。
【００２２】
まずステップＳ１０１で、測光部２１１が、評価対象とする印刷媒体の変角反射光分布特性を測光する。すなわち、測光部２１１の変角反射光分布特性測定部２１２が、被評価印刷媒体表面の変角反射光分布特性を測定する。
【００２３】
ステップＳ１０２では、評価パラメータ抽出部２１３が、ステップＳ１０１で測光された変角反射光分布特性から評価パラメータを抽出する。すなわち、評価パラメータ抽出部２１３の正反射光強度抽出部２１４と正反射近傍光強度抽出部２１５とが、変角反射光分布特性測定部２１２で測定された印刷媒体表面の変角反射光分布特性から正反射光強度と正反射近傍光強度を抽出する。
【００２４】
ステップＳ１０３では、評価パラメータ入力部２２１が、ステップＳ１０２で抽出された評価パラメータを入力する。すなわち、評価パラメータ抽出部２１３で抽出された正反射光強度を正反射光強度入力部２２２で入力し、正反射近傍光強度を正反射近傍光強度入力部２２３で入力する。
【００２５】
ステップＳ１０４では、光沢感評価値演算部２２４が、ステップＳ１０３で入力した評価パラメータに基づいて所定の演算処理を行い、光沢感評価値を算出する。すなわち、光沢感評価値演算部２２４は、評価パラメータ入力部２２１で入力された正反射光強度と正反射近傍光強度とに対して所定の演算処理を施して、被評価印刷媒体の光沢感評価値を求める。
【００２６】
ステップＳ１０５では、光沢感評価値出力部２２５が、ステップＳ１０４で算出された光沢感評価値を所定の形式で出力する。すなわち、光沢感評価値出力部２２５は、光沢感評価値演算部２２４で算出された光沢感評価値を所定の形式で出力する。
【００２７】
次に、ステップＳ１０１で行われる測光部２１１による変角反射光分布特性の測光について、図３を参照して説明する。
【００２８】
図３は、測光部２１１で実施される変角反射光分布特性の測光方法を示す図である。
【００２９】
図３において、照明光源３１が、評価対象とする印刷媒体３３の法線方向から任意の角度θだけ傾いた方向から、印刷媒体３３の表面の被測定部３４を照明すると、その反射光の強度は、反射光分布３５のような分布をもつことなる。すなわち、印刷媒体３３の表面の凹凸や表面物質の屈折率等に起因して、こうした形状の反射光分布３５が発生する。
【００３０】
光沢感評価装置は受光器３２を備え、変角反射光分布特性測定部２１２が受光器３２の移動制御を行なう。これによって、受光器３２は、被測定部３４を中心とした円周上を移動し、正反射光位置（法線方向から光源３１と反対側の角度θの位置）を中心とした円周上の複数の位置において反射光の強度を測定する。この結果、変角反射光分布特性測定部２１２が、反射光分布３５の空間的な強度特性を取得する。
【００３１】
光源３１は例えばハロゲンランプで構成するが、その他にパルスキセノンランプ等を用いてもよく、光源の種類は限定されない。受光器３２は、光を検出するフォトダイオードなどの検出器を備えており、例えば放射輝度計などで構成される。なお受光器３２は、光強度を検出できる検出器であれば、その他の光センサを用いてもよく、受光器の種類は限定されない。
【００３２】
次に、ステップＳ１０２で行われる評価パラメータ抽出部２１３による評価パラメータの抽出について、図４〜図６を参照して説明する。
【００３３】
図４は、評価パラメータ抽出部２１３で実施され得る評価パラメータの抽出方法の第１の例を示す図である。
【００３４】
図４は、測光部２１１で測定された変角反射光分布特性４１を示し、縦軸は反射光強度を表し、横軸は受光角を表す。なお横軸では、図３の光源３１に対する正反射の方向（角度θ）を原点Ｏとする。変角反射光分布特性４１は、図３に示す被評価印刷媒体３３の反射光分布３５に対応する。
【００３５】
正反射光強度４２は、原点Ｏすなわち光源３１に対する正反射の方向（角度θ）で受光した光強度である。この正反射光強度４２を、図１に示す正反射光抽出部２１４が抽出する。なお正反射光抽出部２１４は、変角反射光分布特性４１から反射光強度の最大値を検出して、これを正反射光強度４２としてもよい。
【００３６】
正反射近傍光強度４３は、原点Ｏすなわち光源３１に対する正反射方向（角度θ）から所定の角度θ１だけずれた位置での反射光の強度である。この正反射近傍光強度４３を、図１に示す正反射近傍光強度抽出部２１５が抽出する。なお、正反射近傍光強度抽出部２１５は、原点Ｏから所定の角度θ１ずれた位置での反射光の強度と、原点Ｏから反対方向に同角度θ１ずれた位置での反射光の強度との和あるいは平均値を算出して正反射近傍光強度とするようにしてもよい。
【００３７】
図５は、評価パラメータ抽出部２１３で実施され得る評価パラメータの抽出方法の第２の例を示す図である。
【００３８】
図５も、第１の例と同様に、測光部２１１で測定された変角反射光分布特性５１を示し、縦軸は反射光強度を表し、横軸は受光角を表す。
【００３９】
図５において幅指標値５２は、反射光強度が変角反射光分布特性５１の最大値の半値になるときの受光角の幅、すなわち、半値全幅である。この幅指標値５２を正反射近傍光強度として、第２の例における正反射近傍光強度抽出部２１５が抽出する。なお、幅指標値５２は、反射光強度が変角反射光分布特性５１の最大値の例えば１０分の１や１００分の１になるときの受光角の幅と定義するようにしてもよい。また、幅指標値５２を、反射光強度が変角反射光分布特性５１の最大値の半値になるときの受光角の幅の半分、すなわち、半値半幅に設定するようにしてもよい。
【００４０】
なおまた、第２の例において、正反射光強度抽出部２１４が抽出する正反射光強度は、第１の例における正反射光強度４２と同じであり、説明を省略する。
【００４１】
図６は、評価パラメータ抽出部２１３で実施され得る評価パラメータの抽出方法の第３の例を示す図である。
【００４２】
図６は、測光部２１１で測定された反射光強度の一次微分値６１を示し、縦軸は、反射光強度の変化率を表し、横軸は受光角を表す。
【００４３】
図６に破線で示す反射光強度の一次微分値６１は、図４に示した変角反射光分布特性４１を受光角で一次微分した値である。図６に実線で示す反射光強度の一次微分値の絶対値６２は、反射光強度の一次微分値６１の絶対値を表す。最大増加率６３、最大減少率６４は、反射光強度の受光角に対する変化の割合が最も大きい値を表す。
【００４４】
第３の例における正反射近傍光強度抽出部２１５は、この最大増加率６３または最大減少率６４を正反射近傍光強度として抽出する。
【００４５】
なお、正反射近傍光強度抽出部２１５が、最大増加率６３と最大減少率６４との和、あるいはそれらの平均値を正反射近傍光強度としてもよい。なおまた、変角反射光分布特性４１を一次微分する前に、測定された反射光強度に対して所定のローパスフィルタをかけて、測定時のノイズを低減するようにしてもよい。さらにまた、正反射近傍光強度抽出部２１５が、反射光強度の一次微分値６１の標準偏差を算出し、これを正反射近傍光強度としてもよい。
【００４６】
なお、第３の例においても、正反射光強度抽出部２１４が抽出する正反射光強度は、第１の例における正反射光強度４２と同じであり、説明を省略する。
【００４７】
上記第１〜第３の例のいずれの場合でも、正反射光強度抽出部２１４および正反射近傍光強度抽出部２１５は、複数の受光角において測定された離散的な反射光強度値に基づき正反射光強度および正反射近傍光強度をそれぞれ抽出する。その抽出の前に、離散的な反射光強度値に対して所定の補間処理やフィッティング処理を施すようにしてもよい。
【００４８】
またなお、正反射光強度抽出部２１４および正反射近傍光強度抽出部２１５からそれぞれ正反射光強度および正反射近傍光強度を評価パラメータ入力部２２１に入力する前に、こうした強度値に対して、人間の感性に対応する所定の尺度校正を行うことが望ましい。
【００４９】
以上、第１〜第３の例では、反射光の強度を用いて説明したが、反射光の強度に代わって、反射光の反射率、輝度、明度などの指標値を用いてもよい。
【００５０】
次に、ステップＳ１０３で行われる評価パラメータ入力部２２１による評価パラメータの入力について、図７および図８を参照して説明する。
【００５１】
図７は、評価値算出処理部２２０での処理を実現するためのＧＵＩ（Graphical User Interface）の例を示す図である。
【００５２】
図７に示すＧＵＩにおいて、評価パラメータ入力部７１０は、図１の評価パラメータ入力部２２１での処理に利用され、光沢感評価値演算部７２０は、図１の光沢感評価値演算部２２４での処理に利用され、光沢感評価値出力部７３０は、図１の光沢感評価値出力部２２５での処理に利用される。
【００５３】
図８は、評価パラメータ入力部２２１で実施される評価パラメータの入力の手順を示すフローチャートある。
【００５４】
まずステップＳ８０１において、評価パラメータの入力方法が手動であるか、評価パラメータが予め入力されたファイルを呼び出すことで自動的に行われるかを判別する。手動であるならばステップＳ８０２へ進み、自動であるならばステップＳ８０５へ進む。
【００５５】
ステップＳ８０２では、ユーザが、図７の正反射光強度入力用テキストボックス７１１に図１の正反射光強度抽出部２１４で抽出された正反射光強度の値を入力することで、図１の正反射光強度入力部２２２における正反射光強度の入力が実現される。
【００５６】
つぎのステップＳ８０３では、ユーザが、図７の正反射近傍光強度入力用テキストボックス７１２に図１の正反射光近傍強度抽出部２１５で抽出された正反射近傍光強度の値を入力することで、図１の正反射近傍光強度入力部２２３における正反射近傍光強度の入力が実現される。
【００５７】
つぎのステップＳ８０４では、ステップＳ８０２およびＳ８０３でそれぞれ入力された評価パラメータ（正反射光強度、正反射近傍光強度）がメモリ（前述のＲＡＭなど）に格納される。
【００５８】
一方、ステップＳ８０５では、ユーザが図７のデータ呼び出しボタン７１３を押下すると、前述の制御装置に備えられたハードディスクあるいは外部記憶媒体などに予め記憶されている複数のファイルの一覧表がＧＵＩに表示される。これらのファイルは、正反射光強度の値と正反射近傍光強度の値とが所定の形式で入力されたものであり、これらの中からユーザが選択したファイルがメモリに格納される（Ｓ８０４）。
【００５９】
次に、ステップＳ１０４で行われる光沢感評価値演算部２２４による光沢感評価値の算出について、図７および図９を参照して説明する。
【００６０】
図９は、評価パラメータ入力部２２１で入力された評価パラメータに基づき光沢感評価値演算部２２４で実施される光沢感評価値の算出の手順を示すフローチャートある。
【００６１】
本実施の形態では、同一の評価パラメータから各パラメータに対する重み付けを変更することにより、物体の光沢感以外の質感、例えば高級感、透明感、重厚感、ギラギラ感などについても定量評価を可能にする。そのために、図７の評価項目リスト選択ボタン７２１を用いて評価項目を選択可能にする。
【００６２】
まず図９のステップＳ９０１において、図１の評価パラメータ入力部２２１でメモリに入力された評価パラメータを呼び出す。
【００６３】
次にステップＳ９０２で、ユーザによって図７の評価項目選択リスト表示ボタン７２１が押下されると、複数の評価項目からなるリストを表示する。そして、このリストの中からユーザによって評価項目が選択される。
【００６４】
次のステップＳ９０３で、ユーザによって図７の評価値計算ボタン７２２が押下されると、ステップＳ９０２で選択された評価項目に対応する重みを各評価パラメータに付加して線形結合した下記式（１）に基づいて、評価値ＧＶを算出する。
【００６５】
ＧＶ＝αＧＢ＋βＧＣ        ・・・（１）
ここで、ＧＢは正反射光強度、ＧＣは正反射近傍光強度、α，βは重み係数である。
【００６６】
すなわち、選択された評価項目ごとに対応する重み係数α，βを予め決定しておくことにより、光沢感を含む質感に関する複数の評価項目に対する評価値が算出される。
【００６７】
ステップＳ９０４では、ステップＳ９０２で選択された評価項目と、ステップＳ９０３で算出された評価値ＧＶとをメモリに格納する。
【００６８】
最後に、図２のステップＳ１０５の光沢感評価値出力が、図１の光沢感評価値出力部２２５で行われる。
【００６９】
すなわち、光沢感評価値演算部２２４で算出されメモリに格納された光沢感評価値が、メモリから呼び出され、図７の評価値出力テキストボックス７３１に表示される。ここで、ユーザによって図７の評価値データ保存ボタン７３２が押下されると、図７の正反射光強度入力用テキストボックス７１１に入力された正反射光強度の値、図７の正反射近傍光強度入力用テキストボックス７１２に入力された正反射近傍光強度の値、図７の評価項目選択リスト表示ボタン７２１で選択された評価項目、図７の評価値出力テキストボックス７３１に表示された光沢感評価値の中から、所望する１つ乃至複数が選択され、所定の形式のファイルに出力されて保存される。
【００７０】
このように、第１の実施の形態では、反射光の変角分布特性を測定し、反射光の変角分布特性から抽出した正反射光の強度成分と正反射近傍の反射光分布の空間的な広がり成分とを評価値算出のための評価パラメータとして利用する。これにより、従来の手法と比べて、物体表面の光沢感の高低を人間の主観的な光沢感と相関よく定量評価することが可能となる。
【００７１】
〔第２の実施の形態〕
次に、本発明の第２の実施の形態を説明する。
【００７２】
第２の実施の形態の構成は、基本的に第１の実施の形態の構成と同じであるので、第２の実施の形態の説明においては、第１の実施の形態の説明を流用し、異なる部分だけを説明する。
【００７３】
第２の実施の形態における光沢感評価装置は、鏡面光沢度測定方法とヘイズ測定方法とに基づいて光沢感評価値を出力する装置である。第２の実施の形態では、図１に示す第１の実施の形態における受光信号処理部２１０および評価値算出処理部２２０の評価パラメータ入力部２２１が別の形態となっている。
【００７４】
図１０は、第２の実施の形態における光沢感評価装置の構成を示すブロック図である。なお、この光沢感評価装置も制御装置で構成され、図１０に示す各ブロック部は、該制御装置が制御プログラムを実行することによって実現する各機能に相当する。
【００７５】
第２の実施の形態における光沢感評価装置は、受光信号処理部１１１０と評価値算出処理部１１２０とからなる。受光信号処理部１１１０は測光部１１１１を含み、測光部１１１１は、鏡面光沢度測定部１１１２とヘイズ測定部１１１３とからなる。評価値算出処理部１１２０は、評価パラメータ入力部１１２１と光沢感評価値演算部１１２４と光沢感評価値出力部１１２５とからなる。評価パラメータ入力部１１２１は、鏡面光沢度入力部１１２２とヘイズ入力部１１２３とからなる。
【００７６】
受光信号処理部１１１０の測光部１１１１では、鏡面光沢度測定部１１１２が、鏡面光沢度測定方法に基づき、評価対象とする印刷媒体の鏡面光沢度（正反射光の強度）を測定し、該鏡面光沢度の測定値は、評価パラメータ入力部１１２１の鏡面光沢度入力部１１２２で入力される。また、ヘイズ測定部１１１３が、ヘイズ測定方法に基づき、評価対象とする印刷媒体のヘイズ（資料表面の曇り具合）を測定し、該ヘイズの測定値は、評価パラメータ入力部１１２１のヘイズ入力部１１２３で入力される。
【００７７】
なお、第１の実施の形態と同様に、鏡面光沢度測定部１１１２およびヘイズ測定部１１１３でそれぞれ測定された鏡面光沢度の測定値およびヘイズの測定値に対しては、評価パラメータ入力部１１２１に入力する前に、人間の感性に対応するように所定の尺度校正を行うことが望ましい。
【００７８】
光沢感評価値演算部１１２４と光沢感評価値出力部１１２５とは、図１に示す第１の実施の形態における光沢感評価値演算部２２４と光沢感評価値出力部２２５とそれぞれ同一な処理を行う。
【００７９】
図１１は、第２の実施の形態における光沢感評価装置が、鏡面光沢度測定方法とヘイズ測定方法とに基づいて光沢感評価値を出力するまで手順を示すフローチャートである。
【００８０】
まずステップＳ１００１において、鏡面光沢度測定部１１１２が、鏡面光沢度測定方法に基づき、評価対象とする印刷媒体の鏡面光沢度を測定する。
【００８１】
ステップＳ１００２では、ヘイズ測定部１１１３が、ヘイズ測定方法に基づき、評価対象とする印刷媒体のヘイズを測定する。
【００８２】
ステップＳ１００３では、ステップＳ１００１およびステップＳ１００２でそれぞれ測定された鏡面光沢度の測定値とヘイズの測定値が評価パラメータとして、鏡面光沢度入力部１１２２およびヘイズ入力部１１２３で入力される。
【００８３】
ステップＳ１００４では、光沢感評価値演算部１１２４が、ステップＳ１００３で入力した評価パラメータに基づいて所定の演算処理を行い、光沢感評価値を算出する。
【００８４】
ステップＳ１００５では、光沢感評価値出力部１１２５が、ステップＳ１００４で算出された光沢感評価値を所定の形式で出力する。
【００８５】
なお、ステップＳ１００４以降の処理の流れは、図２に示す第１の実施の形態におけるステップＳ１０４以降と同じである。
【００８６】
以上のように、第２の実施の形態では、既存の鏡面光沢度測定方法およびヘイズ測定方法を用いて光沢感評価値を出力することができる。
【００８７】
〔第３の実施の形態〕
次に、本発明の第３の実施の形態を説明する。
【００８８】
第３の実施の形態の構成は、基本的に第１の実施の形態の構成と同じであるので、第３の実施の形態の説明においては、第１の実施の形態の説明を流用し、異なる部分だけを説明する。
【００８９】
第３の実施の形態における光沢感評価装置は、鏡面光沢度測定方法と写像性測定方法とに基づいて光沢感評価値を出力する装置である。第３の実施の形態では、図１に示す第１の実施の形態における受光信号処理部２１０および評価値算出処理部２２０の評価パラメータ入力部２２１が別の形態となっている。
【００９０】
図１２は、第３の実施の形態における光沢感評価装置の構成を示すブロック図である。なお、この光沢感評価装置も制御装置で構成され、図１２に示す各ブロック部は、該制御装置が制御プログラムを実行することによって実現する各機能に相当する。
【００９１】
第３の実施の形態における光沢感評価装置は、受光信号処理部１３１０と評価値算出処理部１３２０とからなる。受光信号処理部１３１０は測光部１３１１を含み、測光部１３１１は、鏡面光沢度測定部１３１２と写像性測定部１３１３とからなる。評価値算出処理部１３２０は、評価パラメータ入力部１３２１と光沢感評価値演算部１３２４と光沢感評価値出力部１３２５とからなる。評価パラメータ入力部１３２１は、鏡面光沢度入力部１３２２と像鮮明度入力部１３２３とからなる。
【００９２】
受光信号処理部１３１０の測光部１３１１では、鏡面光沢度測定部１３１２が、鏡面光沢度測定方法に基づき、評価対象とする印刷媒体の鏡面光沢度（正反射光の強度）を測定し、該鏡面光沢度の測定値は、評価パラメータ入力部１３２１の鏡面光沢度入力部１３２２で入力される。また、写像性測定部１３１３が、写像性測定方法に基づき、評価対象とする印刷媒体の像鮮明度（資料表面に映り込んだ物体の像の鮮明度）を測定し、該像鮮明度の測定値は、評価パラメータ入力部１３２１の像鮮明度入力部１３２３で入力される。
【００９３】
なお、第１の実施の形態と同様に、鏡面光沢度測定部１３１２および写像性測定部１３１３でそれぞれ測定された鏡面光沢度の測定値および像鮮明度の測定値に対しては、評価パラメータ入力部１３２１に入力する前に、人間の感性に対応するように所定の尺度校正を行うことが望ましい。
【００９４】
光沢感評価値演算部１３２４と光沢感評価値出力部１３２５とは、図１に示す第１の実施の形態における光沢感評価値演算部２２４と光沢感評価値出力部２２５とそれぞれ同一な処理を行う。
【００９５】
図１３は、第３の実施の形態における光沢感評価装置が、鏡面光沢度測定方法と写像性測定方法とに基づいて光沢感評価値を出力するまで手順を示すフローチャートである。
【００９６】
まずステップＳ１２０１において、鏡面光沢度測定部１３１２が、鏡面光沢度測定方法に基づき、評価対象とする印刷媒体の鏡面光沢度を測定する。
【００９７】
ステップＳ１２０２では、写像性測定部１３１３が、写像性測定方法に基づき、評価対象とする印刷媒体の像鮮明度を測定する。
【００９８】
ステップＳ１２０３では、ステップＳ１２０１およびステップＳ１２０２でそれぞれ測定された鏡面光沢度の測定値と像鮮明度の測定値が評価パラメータとして、鏡面光沢度入力部１３２２および像鮮明度入力部１３２３で入力される。
【００９９】
ステップＳ１２０４では、光沢感評価値演算部１３２４が、ステップＳ１２０３で入力した評価パラメータに基づいて所定の演算処理を行い、光沢感評価値を算出する。
【０１００】
ステップＳ１２０５では、光沢感評価値出力部１３２５が、ステップＳ１２０４で算出された光沢感評価値を所定の形式で出力する。
【０１０１】
なお、ステップＳ１２０４以降の処理の流れは、図２に示す第１の実施の形態におけるステップＳ１０４以降と同じである。
【０１０２】
以上のように、第３の実施の形態では、既存の鏡面光沢度測定方法および写像性測定方法を用いて光沢感評価値を出力することができる。
【０１０３】
〔第４の実施の形態〕
次に、本発明の第４の実施の形態を説明する。
【０１０４】
第４の実施の形態の構成は、基本的に第１の実施の形態の構成と同じであるので、第４の実施の形態の説明においては、第１の実施の形態の構成と同一部分には同一の参照符号を付して、第１の実施の形態の説明を流用し、異なる部分だけを説明する。
【０１０５】
第１の実施の形態では、図３に示すように、光沢感評価装置が１つの受光器３２を備え、図１の変角反射光分布特性測定部２１２が受光器３２の移動制御を行う。これによって、受光器３２が、被測定部３４を中心とした円周上を移動し、正反射光位置（法線方向から光源３１と反対側の角度θの位置）を中心とした円周上の複数の位置において反射光の強度を測定するようになっている。
【０１０６】
これに対して、第４の実施の形態では、固定された複数の受光器を備えるようにし、変角反射光分布特性測定部２１２は受光器の移動制御を行わない。
【０１０７】
図１４は、第４の実施の形態における測光部２１１で実施される反射光強度の測定方法を示す図である。
【０１０８】
第４の実施の形態では、受光器１４０２を正反射光位置（光源３１が法線方向から角度θの位置にあるとき、光源３１と反対側の角度θの位置）に固定する。また、受光器１４０３を正反射光位置から法線方向側の角度θ１の位置に固定する。
【０１０９】
変角反射光分布特性測定部２１２は、受光器１４０２から得られた反射光強度を正反射光強度として、評価パラメータ抽出部２１３の正反射光強度抽出部２１４へ送る。また変角反射光分布特性測定部２１２は、受光器１４０３から得られた反射光強度を正反射近傍光強度として、正反射近傍光強度抽出部２１５へ送る。これ以降の処理は、第１の実施の形態と同様である。
【０１１０】
なお、受光器１４０３を正反射光位置から法線方向と反対側の角度θ１の位置に固定するようにしてもよい。また、法線方向側の角度θ１の位置と法線方向と反対側の角度θ１の位置とに設けるようにしてもよい。
【０１１１】
このようにして、第４の実施の形態では第１の実施の形態と異なり、受光器を移動するための駆動部を備える必要がなく、比較的簡易な構成で光沢感評価装置を実現することが可能である。
【０１１２】
なおまた、固定された３つ以上の受光器で測定して得られた、正反射光強度を含む複数の正反射近傍光強度を基にして、変角反射光分布特性を所定の関数で近似し、第１の実施の形態と同様に、幅指標値を求めて正反射近傍光強度としてもよい。
【０１１３】
〔第５の実施の形態〕
次に、本発明の第５の実施の形態を説明する。
【０１１４】
第５の実施の形態の構成は、基本的に第１の実施の形態の構成と同じであるので、第５の実施の形態の説明においては、第１の実施の形態の構成と同一部分には同一の参照符号を付して、第１の実施の形態の説明を流用し、異なる部分だけを説明する。
【０１１５】
第５の実施の形態では、第１の実施の形態のように受光器３２を備えることをせず、代わりに、撮像装置１５０２を正反射光位置に設けるようにする。
【０１１６】
図１５は、第５の実施の形態における測光部２１１で実施される反射光強度の測定方法を示す図である。
【０１１７】
第５の実施の形態では、撮像装置１５０２を正反射光位置に固定する。撮像装置１５０２は、２次元ＣＣＤカメラで構成するが、フォトダイオードアレイなどのラインセンサであってもよい。撮像装置１５０２は、正反射方向からの反射光を所定の空間範囲に亘って測定する。図１の変角反射光分布特性測定部２１２は、撮像装置１５０２で撮像された画像を基に変角反射光分布特性を生成して評価パラメータ抽出部２１３へ送る。
【０１１８】
図１６は、２次元ＣＣＤカメラで構成された撮像装置１５０２で撮影され画像を示す図である。
【０１１９】
図１６において、Ｘ軸は、図１５の光源３１、撮像装置１５０２、被測定部３４を含む面内で正反射方向と直交する軸である。Ｙ軸は、光源３１、撮像装置１５０２、被測定部３４を含む面と直交する軸である。
【０１２０】
変角反射光分布特性測定部２１２は、撮影画像１６０１における各画素値をＹ軸方向に加算または平均した値を求め、これを変角反射光分布特性とする。この変角反射光分布特性に基づき、第１の実施の形態と同様に、評価パラメータ抽出部２１３では、正反射光強度抽出部２１４が正反射光強度を、正反射近傍光強度抽出部２１５が正反射近傍光強度を抽出できる。
【０１２１】
なお第５の実施の形態では、光源３１は、スリット状の光を照射できるような構成であることが望ましい。
【０１２２】
このようにして、第５の実施の形態でも、第１の実施の形態と異なり、受光器を移動するための駆動部を備える必要がなく、比較的簡易な構成で光沢感評価装置を実現することが可能である。
【０１２３】
〔その他の実施の形態〕
以上、第１〜第５の実施の形態においては、印刷媒体の光沢感を対象として説明したが、印刷媒体以外の物体、例えば自動車の外板等、塗装面の光沢感および質感の評価にも本発明は適用可能である。
【０１２４】
また、本発明の目的は、前述した各実施の形態の機能を実現するソフトウェアのプログラムコードを記憶した記憶媒体を、システム或いは装置に供給し、そのシステム或いは装置のコンピュータ（またはＣＰＵやＭＰＵ等）が記憶媒体に格納されたプログラムコードを読み出し実行することによっても達成される。
【０１２５】
この場合、記憶媒体から読み出されたプログラムコード自体が前述した各実施の形態の機能を実現することになり、そのプログラムコード及び該プログラムコードを記憶した記憶媒体は本発明を構成することになる。
【０１２６】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ等の光ディスク、磁気テープ、不揮発性のメモリカード、ＲＯＭ等を用いることができる。または、プログラムコードをネットワークを介してダウンロードしてもよい。
【０１２７】
また、コンピュータが読み出したプログラムコードを実行することにより、前述した各実施の形態の機能が実現されるだけではなく、そのプログラムコードの指示に基づき、コンピュータ上で稼動しているＯＳ（オペレーティングシステム）等が実際の処理の一部または全部を行い、その処理によって前述した各実施の形態の機能が実現される場合も含まれる。
【０１２８】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その拡張機能を拡張ボードや拡張ユニットに備わるＣＰＵ等が実際の処理の一部または全部を行い、その処理によって前述した各実施の形態の機能が実現される場合も含まれる。
【０１２９】
また、コンピュータが読み出したプログラムコードを実行することにより、前述した各実施の形態の機能が実現されるだけでなく、そのプログラムコードの指示に基づき、コンピュータ上で稼働しているＯＳなどが実際の処理の一部または全部を行い、その処理によって前述した各実施の形態の機能が実現される場合も、本発明に含まれることは言うまでもない。
【０１３０】
この場合、上記プログラムは、該プログラムを記憶した記憶媒体から直接、又はインターネット、商用ネットワーク、若しくはローカルエリアネットワーク等に接続された不図示の他のコンピュータやデータベース等からダウンロードすることにより供給される。
【図面の簡単な説明】
【０１３１】
【図１】本発明の第１の実施の形態に係る光沢感評価装置の構成を示すブロック図である。
【図２】図１に示す光沢感評価装置において行なわれる光沢感評価処理の手順を示すフローチャートである。
【図３】測光部で実施される変角反射光分布特性の測光方法を示す図である。
【図４】評価パラメータ抽出部で実施され得る評価パラメータの抽出方法の第１の例を示す図である。
【図５】評価パラメータ抽出部で実施され得る評価パラメータの抽出方法の第２の例を示す図である。
【図６】評価パラメータ抽出部で実施され得る評価パラメータの抽出方法の第３の例を示す図である。
【図７】評価値算出処理部での処理を実現するためのＧＵＩの例を示す図である。
【図８】評価パラメータ入力部で実施される評価パラメータの入力の手順を示すフローチャートある。
【図９】評価パラメータ入力部で入力された評価パラメータに基づき光沢感評価値演算部で実施される光沢感評価値の算出の手順を示すフローチャートある。
【図１０】第２の実施の形態における光沢感評価装置の構成を示すブロック図である。
【図１１】第２の実施の形態における光沢感評価装置が、鏡面光沢度測定方法とヘイズ測定方法とに基づいて光沢感評価値を出力するまで手順を示すフローチャートである。
【図１２】第３の実施の形態における光沢感評価装置の構成を示すブロック図である。
【図１３】第３の実施の形態における光沢感評価装置が、鏡面光沢度測定方法と写像性測定方法とに基づいて光沢感評価値を出力するまで手順を示すフローチャートである。
【図１４】第４の実施の形態における測光部で実施される反射光強度の測定方法を示す図である。
【図１５】第５の実施の形態における測光部で実施される反射光強度の測定方法を示す図である。
【図１６】２次元ＣＣＤカメラで構成された撮像装置で撮影され画像を示す図である。
【符号の説明】
【０１３２】
３１  照明光源
３２  受光器（変角反射光分布特性取得手段）
３３  印刷媒体（物体）
３４  被測定部
３５  反射光分布
２１０  受光信号処理部
２１１  測光部
２１２  変角反射光分布特性測定部（変角反射光分布特性取得手段）
２１３  評価パラメータ抽出部（評価パラメータ抽出手段）
２１４  正反射光強度抽出部
２１５  正反射近傍光強度抽出部
２２０  評価値算出処理部
２２１  評価パラメータ入力部
２２２  正反射光強度入力部
２２３  正反射近傍光強度入力部
２２４  光沢感評価値演算部（光沢感評価値算出手段）
２２５  光沢感評価値出力部
【図１】
2007278949.tif 000003
【図２】
2007278949.tif 000004
【図３】
2007278949.tif 000005
【図４】
2007278949.tif 000006
【図５】
2007278949.tif 000007
【図６】
2007278949.tif 000008
【図７】
2007278949.tif 000009
【図８】
2007278949.tif 000010
【図９】
2007278949.tif 000011
【図１０】
2007278949.tif 000012
【図１１】
2007278949.tif 000013
【図１２】
2007278949.tif 000014
【図１３】
2007278949.tif 000015
【図１４】
2007278949.tif 000016
【図１５】
2007278949.tif 000017
【図１６】
2007278949.tif 000018